【手続補正書】
【提出日】平成19年3月1日(2007.3.1)
【手続補正１】
【補正対象書類名】明細書
【補正対象項目名】特許請求の範囲
【補正方法】変更
【補正の内容】
【特許請求の範囲】
【請求項１】
自然言語の単位の形式でデータを検索する検索装置であって、
自然言語の単位の形式で入力質問を受け取り、出力データの形式で検索の結果を出力するためのインターフェース手段と、
入力質問の単位とデータの単位との間の合致を検索し認識するための突き合わせ手段と、
質問及び／又はデータの中で合致しない単位があるところで、質問及び／又はデータのひとつまたはそれより多くの合致しない単位の形式で文脈データを生成し、それぞれの合致しない単位は、合致しない単位のひとつまたはそれぞれに対し予め定義された言語的関係を持つ、生成手段と、
前記合致した単位及び前記文脈データとして、前記出力データを形成するための形成手段と
を備えることを特徴とする自然言語検索装置。
【請求項２】
前記生成手段は、それぞれの合致した単位に予め定義された修飾関係を持つ文脈データの合致しない単位またはそれぞれを生成するように構成されていることを特徴とする請求項第１項に記載の自然言語検索装置。
【請求項３】
前記生成手段は合致する或いは合致しない単位の間の文脈的に重要な修飾関係を定義しているひとつまたはそれ以上の規則に従って作動することを特徴とする請求項第１項又は第２項に記載の自然言語検索装置。
【請求項４】
前記生成手段は、文脈データの形成のための統語的または意味的制約を含むひとつまたはそれ以上の規則に従って作動することを特徴とする請求項第１項又は第２項に記載の自然言語検索装置。
【請求項５】
単位間の言語関係を決定するために、入力質問及び／又はデータ或いは突き合わせ手段の出力を統語解析するための統語解析手段を含むことを特徴とする請求項第１項乃至第４項のいずれか１項に記載の自然言語検索装置。
【請求項６】
前記形成手段は、それぞれの合致した単位に対し前記予め定義された言語上の関係を持っているそれぞれの前記合致しない単位に関連したすべての前記合致した単位として、前記出力データを形成するように構成されることを特徴とする請求項第１項乃至第５項のいずれか１項に記載の自然言語検索装置。
【請求項７】
前記形成手段は、文脈データによりデータの集合を認識する階層的構造として前記出力データを形成するよう構成されることを特徴とする請求項第１項乃至第６項のいずれか１項に記載の自然言語検索装置。
【請求項８】
前記形成手段は、入力質問の頭語からなる前記合致した単語、ひとつまたはそれ以上の下位層を形成している前記頭語のための前記文脈データ、前記下位層の更に下位層を形成しているさらなる合致した単語、入力質問内の修飾関係による前記さらなる合致した単語の選択の順序、更なる下位層を形成している前記更なる合致する単語のための前記文脈データ、階層的構造のなかの最終的な前記下位層により認識されたデータの前記集合、から形成される階層的構造として前記出力データを形成するよう構成されることを特徴とする請求項第７項に記載の自然言語検索装置。
【請求項９】
自然言語の単位の形式でデータの検索の結果を向上させるようにデータを処理するコンピュータで実行されるデータ処理方法であって、
自然言語の形式で入力質問を受け取り、出力データの形式で検索の結果を出力し、
入力質問とデータの単位との間の合致を検索し認識し、
質問及び／又はデータにおけるすべての合致する単位のために、ひとつまたはそれより多くの合致しない質問及び／又はデータの単位の形式で文脈データを生成し、
ここで、それぞれの合致しない単位は合致する単位のうちのひとつまたはそれぞれの予め定義された言語的関係を持っている；
すべての前記合致する単位とすべてのそれぞれの前記文脈データとして前記出力データを形成する
ことを特徴とするコンピュータによるデータ処理方法。
【請求項１０】
文脈データの合致しない単位またはそれぞれが、それぞれの合致する単位に予め定義された修飾関係を持つものとして生成されることを特徴とする請求項第９項に記載の方法。
【請求項１１】
文脈データは、合致する単語と合致しない単語の間の文脈的に重要な修飾関係を定義しているひとつまたはそれより多くの規則に従って生成されることを特徴とする請求項第９項又は第１０項に記載の方法。
【請求項１２】
文脈データは、文脈データの構成のために構文的および意味的な制約を含むひとつまたはそれ以上の多くの規則に従って生成されることを特徴とする請求項第９項又は第１０項に記載の方法。
【請求項１３】
入力質問及び／又はデータ、或いは単位間の言語関係を決定するための突き合わせステップの出力の統語解析を含むことを特徴とする請求項第９項乃至第１２項のいずれか１項に記載の方法。
【請求項１４】
出力データは、それぞれの合致する単位に対して前記予め定義された言語的関係を持っている、それぞれの前記合致しない単位に関連した、すべての前記合致する単位として形成されることを特徴とする請求項第９項乃至第１３項のいずれか１項に記載の方法。
【請求項１５】
前記出力データは文脈データによりデータの集合を認識する階層的構造として形成されることを特徴とする請求項第９項乃至第１４項のいずれか１項に記載の方法。
【請求項１６】
前記出力データは、入力質問の頭語からなる前記合致した単語、ひとつまたはそれ以上の下位層を形成している前記頭語のための前記文脈データ、前記下位層の更に下位層を形成しているさらなる合致した単語、入力質問内の修飾関係による前記さらなる合致した単語の選択の順序、更なる下位層を形成している前記更なる合致する単語のための前記文脈データ、階層的構造のなかの最終的な前記下位層により認識されたデータの前記集合、により形成されることを特徴とする請求項第１５項に記載の方法。
【請求項１７】
複数の利用できる情報単位から自然言語の所望の情報単位を検索するためのデータ検索装置であって、
自然言語単位で質問を入力するための入力手段と、
入力質問と複数の利用できる情報単位との間の最良合致を認識するために、入力質問の単位と使用できる情報単位の単位との間のすべての合致を検索し認識する突き合わせ手段と、
最良の合致を受け取り、入力質問及び／又は情報単位の中に合致しない単語がある場合に、合致する単位のひとつまたはそれぞれに対して予め定義された言語的な関係をそれぞれが持つ、一つまたはそれより多くの合致しない単位の形式で文脈データを生成する生成手段と、
それぞれの文脈データで最良の合致として所望の情報単位を出力する出力手段と
を備えることを特徴とするデー検索装置。
【請求項１８】
前記出力手段は、前記文脈データにより配列された所望の情報単位を出力するよう構成されることを特徴とする請求項第１７項に記載の装置。
【請求項１９】
複数の使用できる情報単位のために、自然言語の単位を含む所望の情報単位を検索するための、コンピュータにより実行されるデータ検索方法であって、
自然言語単位で質問を入力し、
入力質問と複数の利用できる情報単位との間の最良合致を認識するために、入力質問の単位と使用できる情報単位の単位との間のすべての合致を検索し認識し、
質問及び／又は情報単位の中に合致しない単語がある場合に最良合致のために、合致する単位のひとつまたはそれぞれに対して予め定義された言語的な関係をそれぞれが持つ、一つまたはそれより多くの合致しない単位の形式で文脈データを生成し、
それぞれの前記文脈データで最良の合致として所望の情報単位を出力する
ことを特徴とするデータ検索方法。
【請求項２０】
所望の情報単位は前記文脈データにより配列された出力であることを特徴とする請求項第１９項に記載の方法。
【請求項２１】
請求項９乃至１６、請求項１９又は請求項２０のいずれか１項の方法を実行する、プロセッサを制御するためのプロセッサ実行可能命令を保持する保持媒体。